(57)【要約】【課題】頭頂部の熱を逃がしやすい日除け用の頭巾とその頭巾が取り付けられている衣料を提供する。【解決手段】着用者の前面に開口１５を有している頭巾本体２と、頭巾本体２に配設されて頭巾本体２の形状を保持している第１芯材２１および第２芯材２２と、を有しており、第１芯材２１は、開口１５の周縁１６に沿って延在しており、第２芯材２２は、左右の頭側部４において上下方向に延在しており、かつ頭頂部３で左右方向に延在している頭巾１。さらに、頭巾本体２には、第２芯材２２よりも後方であって、頭頂部３から後方かつ下方に向かって延在している第３芯材２３が配設されていることが好ましい。【選択図】図１
2020094312.tif 000002
【特許請求の範囲】
【請求項１】
着用者の前面に開口を有している頭巾本体と、
前記頭巾本体に配設されて前記頭巾本体の形状を保持している第１芯材および第２芯材と、を有しており、
前記第１芯材は、前記開口の周縁に沿って延在しており、
前記第２芯材は、左右の頭側部において上下方向に延在しており、かつ頭頂部で左右方向に延在していることを特徴とする頭巾。
【請求項２】
上下方向において、前記第２芯材は、前記第１芯材よりも長い請求項１に記載の頭巾。
【請求項３】
前記第２芯材が複数設けられており、複数の前記第２芯材は、互いに前後方向に離間している請求項１または２に記載の頭巾。
【請求項４】
さらに、前記頭巾本体に、前記第２芯材よりも後方であって、頭頂部から後方かつ下方に向かって延在している第３芯材が配設されている請求項１〜３のいずれか一項に記載の頭巾。
【請求項５】
前記第１芯材および前記第２芯材は、塑性変形する長尺部材である請求項１〜４のいずれか一項に記載の頭巾。
【請求項６】
前記頭巾本体は、表側面と裏側面を有する基材から構成されており、
前記第１芯材および前記第２芯材の長手方向と垂直な方向における断面が偏平状に形成されており、
前記第１芯材と前記第２芯材の少なくともいずれか一方の偏平面と、前記基材の前記表側面と前記裏側面の少なくともいずれか一方が互いに平行である請求項１〜５のいずれか一項に記載の頭巾。
【請求項７】
前記頭巾本体は、表側面と裏側面を有する基材から構成されており、
前記基材のうち、前記頭巾本体の頭頂部を含む部分が、頭頂部以外の部分よりも遮光性が高い請求項１〜６のいずれか一項に記載の頭巾。
【請求項８】
前記頭巾本体は、表側面と裏側面を有する基材から構成されており、
前記基材のうち、前記頭巾本体の前記開口の周縁を含み、かつ頭頂部を除いた部分が、頭頂部よりも通気性が高い請求項１〜７のいずれか一項に記載の頭巾。
【請求項９】
前記頭巾本体は、表側面と裏側面を有する基材から構成されており、
前記基材のうち、前記頭巾本体の開口の周縁を含む部分がメッシュ地である請求項１〜８のいずれか一項に記載の頭巾。
【請求項１０】
前記頭巾本体に、前記第１芯材または前記第２芯材が挿通されている通路が設けられている請求項１〜９のいずれか一項に記載の頭巾。
【請求項１１】
前記頭巾本体の後頭部に、頭巾内に風を送る扇風機が取り付けられている請求項１〜１０のいずれか一項に記載の頭巾。
【請求項１２】
前記開口の周縁の一方端部と他方端部に接続されて、左右方向に延在しているあご紐を含む請求項１〜１１のいずれか一項に記載の頭巾。
【請求項１３】
請求項１〜１２のいずれか一項に記載の頭巾が取り付けられている衣料。
【請求項１４】
請求項１〜１２のいずれか一項に記載の頭巾の下方端部に、着用者の肩の少なくとも一部を覆う肩掛け部が取り付けられており、
前記肩掛け部は、外面側に配される第１布地と、肌面側に配される第２布地と、前記第１布地と前記第２布地の間に配置されているスペーサーと、を有している衣料。
【請求項１５】
前記スペーサーは、前記第１布地よりも曲げ硬さが大きいスペーサー用布地を山部と谷部が交互に位置する蛇腹状に形成したものである請求項１４に記載の衣料。
【発明の詳細な説明】
【技術分野】
【０００１】
本発明は、太陽光線から頭部や首を保護するための頭巾とこの頭巾を備えた衣料に関するものである。
【背景技術】
【０００２】
屋外での活動時に強い日差しを避けるために日傘、キャップやハット等のつば付の帽子等の日除け用品が用いられる。しかし、日傘は手で把持する必要があり片手が塞がるため、長時間の使用、例えばスポーツ観戦や農作業には適していない。つば付の帽子は両手が空くが、布地が着用者の頭頂部に接触するか、または帽子内に形成される空間が閉鎖されるため、帽子内の熱が逃げにくく蒸れの原因となる。日傘や帽子とは別の日除け用品として、特許文献１には農作業等の屋外での行動に際し、顔や首を紫外線から防護する頭巾が開示されている。特許文献１には頭巾の外縁部に保形用線材（ゴム芯）を配置することも記載されている。
【先行技術文献】
【特許文献】
【０００３】
【特許文献１】登録実用新案第３１１５８８３号公報
【発明の概要】
【発明が解決しようとする課題】
【０００４】
しかし、特許文献１に記載の頭巾を構成する布帛は、帽子の布地と同様に着用者の頭頂部と接触するため、特に頭頂部で熱が籠もりやすくなり、着用者に不快感を与えたり熱中症を発生させるおそれがある。そこで、本発明は頭頂部の熱を逃がしやすい日除け用の頭巾とその頭巾が取り付けられている衣料を提供することを目的とする。
【課題を解決するための手段】
【０００５】
前記課題を解決することができた本発明の頭巾の一実施態様は、着用者の前面に開口を有している頭巾本体と、頭巾本体に配設されて頭巾本体の形状を保持している第１芯材および第２芯材と、を有しており、第１芯材は、開口の周縁に沿って延在しており、第２芯材は、左右の頭側部において上下方向に延在しており、かつ頭頂部で左右方向に延在しているところに特徴を有する。本発明の頭巾は、頭巾本体で頭部や首を覆うことにより太陽光線から保護することができる。また、芯材により頭巾本体の形状が保持され、頭巾を手で把持する必要がないため長時間の使用にも適している。さらに、芯材の角度や延在方向を調節することにより頭巾内に空間を形成することができ、この空間は開口を介して外部と連通しているため熱を逃がすことができる。特に、第２芯材が頭頂部で左右方向に延在していることにより、頭巾内の頭頂部に対応する位置に空間を形成しやすくなる。したがって、頭巾内に熱が籠もりにくくなり熱中症を予防することができる。
【０００６】
上下方向において、第２芯材は、第１芯材よりも長いことが好ましい。これにより、第２芯材が着用者の肩に当接したときに、頭巾の頭頂部で頭巾本体が高い位置で保持されるため、頭巾内の頭頂部に対応する位置に空間を形成しやすくなる。
【０００７】
第２芯材が複数設けられており、複数の第２芯材は、互いに前後方向に離間していることが好ましい。また、さらに頭巾本体に、第２芯材よりも後方であって、頭頂部から後方かつ下方に向かって延在している第３芯材が配設されていることが好ましい。このように複数の第２芯材や第３芯材を設けることにより、頭巾本体の形状を着用者の頭のサイズや形状にあわせてより緻密に調節することができるため、頭巾内の頭頂部に対応する位置に空間を形成しやすくなる。
【０００８】
第１芯材および第２芯材は、塑性変形する長尺部材であることが好ましい。これにより第１芯材や第２芯材に付けられた形状を保持することができる。
【０００９】
頭巾本体は、表側面と裏側面を有する基材から構成されており、第１芯材および第２芯材の長手方向と垂直な方向における断面が偏平状に形成されており、第１芯材と第２芯材の少なくともいずれか一方の偏平面と、基材の表側面と裏側面の少なくともいずれか一方が互いに平行であることが好ましい。このように芯材の断面を偏平状に形成することにより、頭巾本体の基材に芯材を接合しやすくなり、例えば、基材と芯材とを一緒に縫合することが可能となる。また、芯材の曲げ方向も規制することができる。
【００１０】
頭巾本体は、表側面と裏側面を有する基材から構成されており、基材のうち、頭巾本体の頭頂部を含む部分が、頭頂部以外の部分よりも遮光性が高いことが好ましい。これにより、頭頂部での遮熱性を高めることができるため、頭巾内に熱が籠もりにくくなる。
【００１１】
頭巾本体は、表側面と裏側面を有する基材から構成されており、基材のうち、頭巾本体の開口の周縁を含み、かつ頭頂部を除いた部分が、頭頂部よりも通気性が高いことが好ましい。これにより、開口近傍での通気性を高めることができるため、頭巾内に熱が籠もりにくくなる。
【００１２】
頭巾本体は、表側面と裏側面を有する基材から構成されており、基材のうち、頭巾本体の開口の周縁を含む部分がメッシュ地であることが好ましい。これにより、開口近傍での通気性を高めることができるため、頭巾が風に飛ばされにくくなるとともに頭巾内に熱が籠もりにくくなる。
【００１３】
頭巾本体に、第１芯材または第２芯材が挿通されている通路が設けられていることが好ましい。このように通路を設けることにより、芯材が着用者の肌や頭に当接しにくくなり、肌当たりを良好にすることができる。
【００１４】
頭巾本体の後頭部に、頭巾内に風を送る扇風機が取り付けられていることが好ましい。これにより頭巾内に風を送ることで後頭部や首元を直接冷やすことができるようになるため、頭巾内に熱が籠もりにくくなる。
【００１５】
本発明の頭巾は、開口の周縁の一方端部と他方端部に接続されて、左右方向に延在しているあご紐を含むことが好ましい。これにより頭巾が脱げにくくなる。
【００１６】
本発明には、上記頭巾が取り付けられている衣料も含まれる。これにより太陽光線から頭部や首だけでなく身体も保護することができる。
【００１７】
本発明には、頭巾の下方端部に、着用者の肩の少なくとも一部を覆う肩掛け部が取り付けられており、肩掛け部は、外面側に配される第１布地と、肌面側に配される第２布地と、第１布地と第２布地の間に配置されているスペーサーと、を有している衣料も含まれる。肩掛け部を複層構造にすることにより、第１布地と第２布地に異なる機能を付与することができる。また、肩掛け部にスペーサーを設けることにより通気性が高められるため、着用者の体温上昇を抑制することができる。
【００１８】
スペーサーは、第１布地よりも曲げ硬さが大きいスペーサー用布地を山部と谷部が交互に位置する蛇腹状に形成したものであることが好ましい。これにより、第１布地と第２布地の間に確実に空間が形成されるため、肩掛け部の通気性を高めることができる。
【発明の効果】
【００１９】
本発明の頭巾および衣料は、頭巾本体で頭部や首を覆うことにより太陽光線から保護することができる。また、芯材により頭巾本体の形状が保持され、頭巾を手で把持する必要がないため長時間の使用にも適している。さらに、芯材の角度や延在方向を調節することにより頭巾内に空間を形成することができ、この空間は開口を介して外部と連通しているため熱を逃がすことができる。特に、第２芯材が頭頂部で左右方向に延在していることにより、頭巾内の頭頂部に対応する位置に空間を形成しやすくなる。したがって、頭巾内に熱が籠もりにくくなり熱中症を予防することができる。
【図面の簡単な説明】
【００２０】
【図１】本発明の実施の形態に係る頭巾の斜視図を表す。
【図２】図１に示した頭巾の正面図を表す。
【図３】図１に示した頭巾の側面図を表す。
【図４】図１に示した頭巾の背面図を表す。
【図５】図３に示した頭巾本体のＶ−Ｖ線に沿った断面図を表し、頭巾の頭巾本体と芯材の接合状態を示している。
【図６】図１に示した頭巾の斜視図の変形例を表す。
【図７】図５に示した頭巾本体の断面図の変形例を表す。
【図８】本発明の実施の形態に係る衣料の正面図を表す。
【図９】図８に示した衣料の背面図を表す。
【図１０】図９のＩＸ−ＩＸ線に沿った断面図を表し、スペーサーの形状を示している。
【発明を実施するための形態】
【００２１】
以下、本発明に係る頭巾およびこれを備えた衣料に関して、図面を参照しつつ具体的に説明するが、本発明はもとより図示例に限定される訳ではなく、前・後記の趣旨に適合し得る範囲で適当に変更を加えて実施することも可能であり、それらはいずれも本発明の技術的範囲に包含される。
【００２２】
本発明において頭巾（フード）とは袋状に形成されている被り物であり、頭部および首を圧迫せずに覆うことで直射日光から保護することができる。頭巾は、キャップやハットなどのつば付の帽子、ニット帽などの頭部にフィットさせることを目的とした帽子とは区別される。また、本発明において衣料とは、上衣、ワンピースやつなぎ等の上衣と下衣が一体化したつなぎ服等が挙げられ、例えば防暑服、作業服、防護服、レインコート、パーカー、頭巾を備えたポンチョ、ケープ、マント等が挙げられる。本発明の頭巾および衣料は、日除け用、アウトドア用、特に屋外でのスポーツ観戦時や農作業時に好適に用いられる。
【００２３】
本発明において頭巾および衣料の裏側とは、頭巾や衣料を着用した際の着用者の肌に向く側を意味し、頭巾および衣料の表側とは、頭巾や衣料を着用した際の着用者とは反対側を意味する。
【００２４】
本発明の各布地は、例えば織物、編物、不織布、これらに樹脂が積層された材料から構
成される。本発明の布地を構成する繊維としては、例えば、綿・絹等の天然繊維、ポリエ
ステル・ポリエチレン・ナイロン等の合成繊維が挙げられる。布地同士は、縫合、接着剤による接着、熱融着、超音波融着等により接合することができる。
【００２５】
図１〜図５を用いて頭巾の構成について説明する。図１〜図４は、それぞれ本発明の実施の形態に係る頭巾の斜視図、正面図、側面図および背面図を表し、図５は図３に示した頭巾本体のＶ−Ｖ線に沿った断面図を表し、頭巾の頭巾本体と芯材の接合状態を示している。頭巾１は、頭巾本体２と、頭巾本体２に配設されている第１芯材２１および第２芯材２２を有している。
【００２６】
図１〜図４に示すように、頭巾本体２は、頭側部４を有する。頭側部４は、着用者の頭部の側部を覆う部分であり、例えば、頬、耳、側頭骨、蝶形骨、側頭筋を覆う。着用者の左側の頭側部４を覆う部分が左頭側部４Ａ、右側の頭側部４を覆う部分が右頭側部４Ｂである。頭巾本体２は、頭頂部３や後頭部５も有する。頭頂部３は、頭部の上側を覆う部分であり、例えば、前頭骨や頭頂骨の前側半分を覆う。後頭部５は頭部の後側や首の後側を覆う部分であり、例えば、後頭骨、頭頂骨の後側半分、後頭筋、僧帽筋の首部分を覆う。
【００２７】
図１〜図２に示すように、頭巾本体２は、着用者の前面に開口１５を有している。開口１５は、頭巾本体２を正面から見て少なくとも着用者の目が露出するように形成されていればよく、着用者の目、鼻および口が露出するように形成されていることが好ましく、着用者の顔面全体が露出するように形成されていてもよい。また、頭巾本体２の下側には、着用者の頭部および首を出し入れするための第２の開口１７も設けられている。
【００２８】
図５に示すように、頭巾本体２は、表側面７Ａと裏側面７Ｂを有する基材７から構成されてもよい。その場合、基材７は、表側に位置する表地８と、裏側に位置する裏地９を有していることが好ましい。基材７を複層構造にすることにより、表地８と裏地９に異なる機能を付与することができる。例えば、表地８には遮熱機能を有する布地を、裏地９には冷感機能を有する布地を採用することができる。表地８や裏地９は、上述した布地から構成することができる。遮熱性の機能を高めるために、表地８と裏地９の間に別の布地が配置されていてもよい。
【００２９】
図６は図１に示した頭巾１の斜視図の変形例を表している。頭巾本体２は、表側面７Ａと裏側面７Ｂを有する基材７から構成されており、図６に示すように、基材７のうち、頭巾本体２の頭頂部３を含む部分７Ｃが、頭頂部３以外の部分よりも遮光性が高いことが好ましい。これにより、頭頂部３での遮熱性を高めることができるため、頭巾１内に熱が籠もりにくくなる。
【００３０】
頭巾本体２は、表側面７Ａと裏側面７Ｂを有する基材７から構成されており、図６に示すように、基材７のうち、頭巾本体２の開口１５の周縁１６を含み、かつ頭頂部３を除いた部分７Ｄが、頭頂部３よりも通気性が高いことが好ましい。これにより、開口１５近傍での通気性を高めることができる。基材７のうち、頭巾本体２の開口１５の周縁１６を含み、かつ頭頂部３を除いた部分７Ｄは、例えばメッシュ地１０から構成することができる。頭頂部３よりも高い通気性を有している生地は、周縁１６から４０ｍｍ以内に配置されていることが好ましく、周縁１６から３０ｍｍ以内に配置されていることがより好ましい。基材７のうち、頭巾本体２の開口１５の周縁１６を含み、かつ頭頂部３を除いた部分７Ｄは左右に設けられていることが好ましい。
【００３１】
頭巾本体２は、表側面７Ａと裏側面７Ｂを有する基材７から構成されており、基材７のうち、頭巾本体２の開口１５の周縁１６を含む部分がメッシュ地１０であることが好ましい。これにより、開口１５近傍での通気性を高めることができるため、頭巾１が風に飛ばされにくくなるとともに頭巾１内に熱が籠もりにくくなる。図１ではメッシュ地１０を交差するハッチングで示している。メッシュ地１０は、開口１５の周縁１６を含み、周縁１６から４０ｍｍ以内に配置されていることが好ましく、周縁１６から３０ｍｍ以内に配置されていることがより好ましい。メッシュ地１０は、開口１５の周縁１６の一部に配されていてもよく、周縁１６の全体にわたって配されていてもよい。
【００３２】
頭巾本体２には、頭巾本体２の形状を保持している第１芯材２１および第２芯材２２が配設されており、第１芯材２１は、開口１５の周縁１６に沿って延在しており、第２芯材２２は、左右の頭側部４において上下方向に延在しており、かつ頭頂部３で左右方向に延在している。図１に示すように、第２芯材２２は、第１芯材２１よりも後方に配置されている。このように芯材を設けることにより頭巾本体２の形状が保持されるため、頭巾１を手で保持する必要がなく長時間の使用に適している。また、芯材の角度や延在方向を調節することにより頭巾１内に空間を形成することができ、この空間は開口１５を介して外部と連通しているため熱を逃がすことができる。特に、第２芯材２２が頭頂部３で左右方向に延在していることにより、頭巾１内の頭頂部３に対応する位置に空間を形成しやすくなる。したがって、頭巾１内に熱が籠もりにくくなり熱中症を予防することができる。
【００３３】
第１芯材２１は、開口１５の周縁１６の一部に延在していればよく、周縁１６の長さの５０％以上に延在していることが好ましく、７０％以上に延在していることがより好ましく、周縁１６の全体にわたって延在していることがさらに好ましい。これにより、着用者の頭のサイズや形状に応じて開口１５近傍で頭巾本体２を変形しやすくなる。
【００３４】
第１芯材２１は、開口１５の周縁１６から３０ｍｍ以内に設けられていることが好ましく、２０ｍｍ以内に設けられていることがより好ましく、１５ｍｍ以内に設けられていることがさらに好ましい。また、基材７のうち開口１５の周縁１６を含む部分がメッシュ地１０である場合、メッシュ地１０に第１芯材２１が接合されていてもよい。
【００３５】
頭巾本体２の開口１５の周縁１６は、着用者の顎部に対応する位置に配置されていないことが好ましい。その場合、第１芯材２１も着用者の顎部に対応する位置に配置されていないことが好ましい。顎部に頭巾本体２や第１芯材２１が存在しないため、頭巾を着用した時の圧迫感を低減することができる。本発明において着用者の顎部とは、着用者のおとがい点を含む部分であり、着用者のおとがい点とはＪＩＳ  Ｌ  ０１１１：２００６  衣料のための身体用語で規定されているおとがい点を意味する。
【００３６】
第２芯材２２は複数設けられていてもよい。図示していないが、左頭側部４Ａに一の第２芯材２２が設けられて上下方向に延在し、右頭側部４Ｂに他の第２芯材２２が設けられて上下方向に延在していてもよい。
【００３７】
第２芯材２２は、左右の頭側部４において上下方向に延在していることが好ましい。このように第２芯材２２を設けることにより、頭巾本体２の左右の頭側部４をより安定して保持することができる。
【００３８】
第１芯材２１と第２芯材２２は、１箇所が切り欠かれているループ形状、例えば逆Ｕ字形状であってもよい。その場合、ループ形状のうち切り欠かれている部分が着用者の顎部に対応する位置に配置されていることが好ましい。
【００３９】
第１芯材２１と第２芯材２２はそれぞれ頭巾本体２の第２の開口１７の周縁部まで延在しており、第１芯材２１の下方端部と第２芯材２２の下方端部が着用者の肩に当接して頭巾本体２が自立することが好ましい。その場合、頭巾本体２の頭頂部３の基材７の裏側面７Ｂが、着用者の頭頂点から離間していることが好ましい。これにより、頭巾本体２の頭頂部３が着用者の頭と当接しにくくなり、頭巾１内の頭頂部３に対応する位置に空間を形成することができる。ここで、着用者の頭頂点とはＪＩＳ  Ｌ  ０１１１：２００６  衣料のための身体用語で規定されている頭頂点を意味する。
【００４０】
着用者の前後方向において、第２芯材２２は、第１芯材２１よりも３０ｍｍ以上後方に配置されていることが好ましく、４０ｍｍ以上後方に配置されていることがより好ましい。このように第１芯材２１と第２芯材２２の前後方向の位置を調整することにより、頭巾１の全体形状を好適に保持することができる。
【００４１】
頭巾１の上部における第１芯材２１と第２芯材２２の前後方向の離間距離は、頭巾１の下部における第１芯材２１と第２芯材２２の前後方向の離間距離よりも広くてもよい。これにより、頭の形状にあわせて頭巾１の形状を保持することができる。
【００４２】
上下方向において、第２芯材２２は第１芯材２１よりも長いことが好ましい。これにより、第２芯材２２が着用者の肩に当接したときに、頭巾１の頭頂部３で頭巾本体２が高い位置で保持されるため、頭巾１内の頭頂部３に対応する位置に空間を形成しやすくなる。
【００４３】
図１に示すように、第２芯材２２が複数設けられており、複数の第２芯材２２は、互いに前後方向に離間していることが好ましい。このように着用者の前後方向に離間する複数の第２芯材２２を設けることにより、頭巾本体２の頭側部４や頭頂部３の形状を着用者の頭のサイズや形状にあわせてより緻密に調節することができるため、頭巾１内の頭頂部３に対応する位置に空間を形成しやすくなる。図１および図３では、前側第２芯材２２Ｆと、前側第２芯材２２Ｆよりも後方に配置されている後側第２芯材２２Ｂと、が設けられている。図１および図３では第２芯材２２が２本設けられている例を示したが、第２芯材２２の数は特に限定されず、例えば２本以上、３本以上、４本以上であってもよく、また１０本以下、８本以下、６本以下であってもよい。このように第２芯材２２の数を設定することにより、頭巾本体２の形状をより一層調整しやすくなる。
【００４４】
複数の第２芯材２２が前後方向に離間している場合、これら第２芯材２２の離間距離は、３０ｍｍ以上であることが好ましく、４０ｍｍ以上であることがより好ましい。このように複数の第２芯材２２の前後方向の位置を調整することにより、頭巾１の全体形状をより好適に保持することができる。
【００４５】
第１芯材２１と第２芯材２２は、それぞれ１本の長尺部材から形成されていてもよく、複数の長尺部材を接続することにより形成されていてもよい。例えば、第１芯材２１が、第１長尺部材の一方端部と第２長尺部材の他方端部がハトメ等の接続具を介して接続されて構成されており、第１長尺部材に対して第２長尺部材が回転してもよい。これにより第１芯材２１を傘の骨のように折り畳むことができ、頭巾１を小さく折り畳むことが可能になる。第２芯材２２についても同様に接続された複数の長尺部材から構成することができる。
【００４６】
第１芯材２１と第２芯材２２は、塑性変形する長尺部材であることが好ましい。このように塑性変形する部材から構成することで、第１芯材２１や第２芯材２２に付けられた形状を保持することができる。なお、第１芯材２１と第２芯材２２は弾性変形しないことが好ましい。着用者の頭のサイズや形状に応じて、第１芯材２１や第２芯材２２の角度や延在方向を調節することができなくなるからである。
【００４７】
第１芯材２１と第２芯材２２としては、樹脂または金属から構成されているテープやワイヤーを用いることができるが、頭巾本体２への縫合を容易にするために樹脂から構成されているテープを用いることが好ましい。
【００４８】
第１芯材２１および第２芯材２２を構成する樹脂としては、ポリエステル系樹脂、ポリエチレン等のポリオレフィン系樹脂が挙げられる。第１芯材２１および第２芯材２２を構成する金属としては、ステンレス鋼、金、銀、銅等を用いることができる。第１芯材２１や第２芯材２２は、天然ゴムや合成ゴムを含まない材料から構成されていることが好ましい。
【００４９】
第１芯材２１および第２芯材２２の長さは特に限定されないが、例えば、３０ｃｍ以上、４０ｃｍ以上、５０ｃｍ以上、６０ｃｍ以上とすることができ、１００ｃｍ以下であることも許容される。
【００５０】
第１芯材２１および第２芯材２２は、中空状または中実状に形成されるが、強度を高めるために中実状に形成されていることが好ましい。
【００５１】
第１芯材２１および第２芯材２２の長手方向と垂直な方向における断面の形状は、円形状、楕円形状、多角形状、またはこれらの組み合わせにすることができる。
【００５２】
第１芯材２１および第２芯材２２の長手方向と垂直な方向における断面は偏平状に形成されていてもよい。その場合、頭巾本体２は、表側面７Ａと裏側面７Ｂを有する基材７から構成されており、第１芯材２１と第２芯材２２の少なくともいずれか一方の偏平面と、基材７の表側面７Ａと裏側面７Ｂの少なくともいずれか一方が互いに平行であることが好ましい。このように芯材の断面を偏平状に形成することにより、頭巾本体２の基材７に芯材を接合しやすくなり、例えば、基材７と芯材とを一緒に縫合することが可能となる。また、芯材の曲げ方向も規制することができる。
【００５３】
頭巾本体２に、第１芯材２１または第２芯材２２が挿通されている通路１１が設けられていることが好ましい。このように通路１１を設けることにより、芯材が着用者の肌や頭に当接しにくくなり、肌当たりを良好にすることができる。
【００５４】
基材７の一部を折り返して対向する他部に接合することにより基材７の一部と他部の間に通路１１が形成されていてもよく、図５に示すように基材７が表地８と裏地９を有している場合、表地８と裏地９の間に通路１１が形成されていてもよい。
【００５５】
図示していないが、通路１１に第１芯材２１および第２芯材２２の出し入れ口が設けられており、第１芯材２１および第２芯材２２が取り出し可能に構成されていてもよい。これにより、頭巾本体２の形状を頭のサイズや形状にあわせてより緻密に調節することができるとともに、芯材を取り出すことで洗濯もしやすくなる。
【００５６】
図７は、図５に示した頭巾本体２の断面図の変形例を表す。第１芯材２１と第２芯材２２の少なくともいずれか一方が基材７の裏側面７Ｂに接合されていてもよい。これにより、基材７への芯材の取り付けが行いやすくなる。図７では、基材７が表地８と裏地９を有しており、第２芯材２２が裏地９よりも肌側に配置されている。
【００５７】
図１〜図４に示すように、さらに、頭巾本体２に、第２芯材２２よりも後方であって、頭頂部３から後方かつ下方に向かって延在している第３芯材２３が配設されていることが好ましい。このように第３芯材２３を設けることにより、頭巾本体２の後頭部５の形状を着用者の頭のサイズや形状にあわせてより緻密に調節することができるため、頭巾１内の頭頂部３に対応する位置に空間を形成しやすくなる。
【００５８】
第３芯材２３の数は１本でも複数本でもよいが、第３芯材２３は左右に１本ずつ配置されていることが好ましい。これにより、頭巾本体２の後頭部５の形状を着用者の頭のサイズや形状にあわせてより緻密に調節することができる。図１〜図２および図４では、左側第３芯材２３Ｌと、右側第３芯材２３Ｒとが設けられている。
【００５９】
上下方向において、第３芯材２３の上方端は、第２芯材２２の上方端よりも下方に配置されていてもよい。また、第３芯材２３は、頭巾本体２の前後方向の中央位置よりも後方に配置されていることが好ましい。このように第３芯材２３を配置することにより、着用者の後頭部に沿うように頭巾本体２の後頭部５の形状を保持しやすくなる。
【００６０】
その他、第３芯材２３の形状、断面形状、材質、頭巾本体２（基材７）への取り付けは、第１芯材２１および第２芯材２２と同様に行うことができる。
【００６１】
頭巾本体２には、頭巾１内に風を送る扇風機１２が取り付けられていてもよい。中でも、図２および図４に示すように、頭巾本体２の後頭部５に、頭巾１内に風を送る扇風機１２が取り付けられていることが好ましい。これにより頭巾１内に風を送ることで後頭部や首元を直接冷やすことができるようになるため、頭巾１内に熱が籠もりにくくなる。例えば、図４に示すように、第３芯材２３が左右に１本ずつ設けられており、左側第３芯材２３Ｌと右側第３芯材２３Ｒの間に扇風機１２が配置されていてもよい。
【００６２】
頭巾１を脱げにくくするために、頭巾１は、開口１５の周縁１６の一方端部１６ａと他方端部１６ｂに接続されて、左右方向に延在しているあご紐１３を含むことが好ましい。頭巾本体２の開口１５の周縁１６の一方端部１６ａと他方端部１６ｂは、周縁１６の下方端部に配置されていることが好ましい。このように周縁１６の端部が配置されていることにより、あご紐１３を着用者の顎部に対応する位置に配置することができる。
【００６３】
あご紐１３は丸紐でも平紐でもよい。あご紐１３は、布地やゴムから構成されていてもよい。あご紐１３は、伸縮弾性を有していてもよい。あご紐１３は肌に当接することがあるため、布地から構成されていることが好ましい。
【００６４】
次に、図８〜図１０を用いて衣料について説明する。図８〜図９は、それぞれ本発明の実施の形態に係る衣料の正面図と背面図を表し、図１０は図９のＩＸ−ＩＸ線に沿った断面図を表し、スペーサーの形状を示している。
【００６５】
本発明には、上記頭巾１が取り付けられている衣料４０も含まれる。これにより太陽光線から頭部や首だけでなく身体も保護することができる。なお、衣料４０は、袖があっても無くてもよい。衣料４０は、着用者の肩、背中、胸部、腹部、上半身、または下半身までを覆っていてもよい。
【００６６】
本発明には、頭巾１の下方端部に、着用者の肩の少なくとも一部を覆う肩掛け部３０が取り付けられており、肩掛け部３０は、外面側に配される第１布地３１と、肌面側に配される第２布地３２と、第１布地３１と第２布地３２の間に配置されているスペーサー３３と、を有している衣料４０も含まれる。このように肩掛け部３０を複層構造にすることにより、第１布地３１と第２布地３２に異なる機能を付与することができる。また、肩掛け部３０にスペーサー３３を設けることにより通気性が高められるため、着用者の体温上昇を抑制することができる。
【００６７】
スペーサー３３は、第１布地３１よりも曲げ硬さが大きいスペーサー用布地３４を山部３４ａと谷部３４ｂが交互に位置する蛇腹状に形成したものであることが好ましい。これにより、第１布地３１と第２布地３２の間に確実に空間が形成されるため、肩掛け部３０の通気性を高めることができる。なお、曲げ硬さは、カトーテック株式会社製純曲げ試験機（ＫＥＳ−ＦＢ２−Ｓ）によって計測される曲げ剛性Ｂ（Ｂ＝０．０の値とＢ＝０．３の値を結んだ直線の傾き）を３回測定したときの平均値である。曲げ硬さはその値が大きいほど布地が硬いことを示す。スペーサー用布地３４がこのような曲げ硬さを有することにより、適度にハリやコシを持たせることができ、スペーサー３３が変形しにくくなる。
【００６８】
肩掛け部３０にスペーサー用布地３４を接合しやすくするために、スペーサー用布地３４が支持用布地３５に接合されて、支持用布地３５が第１布地３１または第２布地３２に接合されていてもよい。その場合、スペーサー用布地３４は第１布地３１および第２布地３２に直接固定されていないことが好ましい。これにより肩掛け部３０の通気性をより一層高めることができる。なお、スペーサー用布地３４や支持用布地３５としては、例えば帯状に形成されている布地を用いることができる。
【符号の説明】
【００６９】
１：頭巾
２：頭巾本体
３：頭頂部
４：頭側部
４Ａ：左頭側部
４Ｂ：右頭側部
５：後頭部
７：基材
７Ａ：基材の表側面
７Ｂ：基材の裏側面
７Ｃ：基材のうち、頭巾本体の頭頂部を含む部分
７Ｄ：基材のうち、頭巾本体の開口の周縁を含み、かつ頭頂部を除いた部分
８：表地
９：裏地
１０：メッシュ地
１１：通路
１２：扇風機
１３：あご紐
１５：開口
１６：開口の周縁
１７：第２の開口
２１：第１芯材
２２：第２芯材
２２Ｆ：前側第２芯材
２２Ｂ：後側第２芯材
２３：第３芯材
２３Ｌ：左側第３芯材
２３Ｒ：右側第３芯材
３０：肩掛け部
３１：第１布地
３２：第２布地
３３：スペーサー
３４：スペーサー用布地
３５：支持用布地
４０：衣料
【図１】
2020094312.tif 000003
【図２】
2020094312.tif 000004
【図３】
2020094312.tif 000005
【図４】
2020094312.tif 000006
【図５】
2020094312.tif 000007
【図６】
2020094312.tif 000008
【図７】
2020094312.tif 000009
【図８】
2020094312.tif 000010
【図９】
2020094312.tif 000011
【図１０】
2020094312.tif 000012